(57)【要約】      （修正有）【課題】弾性変形を利用した簡単な構造の飲料用容器の蓋ロック装置を提供する。【解決手段】飲料用容器本体の上部開口部に被着される円筒状の肩部材３と、この肩部材の後端部にヒンジ軸４を介して開閉自在に開閉する蓋体５と、肩部材の前端部で蓋体を閉状態に保持するロック機構６と、を有する飲料用容器の蓋ロック装置において、ロック機構は、基端が肩部材に回動自在に軸支されたＵ字形状の第１のロック部材１７と、第１のロック部材に対応する蓋体側に形成されたロック受け部１８とを有し、蓋体の一部に左右一対の溝２８を形成することで、両溝に挟まれた断片を上下方向に弾性変形可能なロック受け部とし、第１のロック部材をロック受け部の弾性変形を利用して係止する。【選択図】図８
0003192406.tif 000002
【実用新案登録請求の範囲】
【請求項１】
飲料用容器本体の上部開口部に被着される円筒状の肩部材と、
前記肩部材の後端部によりヒンジ軸を介して軸支され、前記肩部材の前記上部開口部を開閉自在に開閉する蓋体と、
前記肩部材の前端部で前記蓋体を閉状態に保持するロック機構と、
を有する飲料用容器の蓋ロック装置において、
前記ロック機構は、
基端が肩部材又は蓋体のいずれか一方にロック姿勢とロック解除姿勢との間で第１の横軸を介して回動可能に軸支された略Ｕ字形状の第１のロック部材と、
前記第１のロック部材のロック姿勢で、前記第１のロック部材のＵ字形状の頂部内側で係合するよう前記肩部材又は蓋体のいずれか他方に形成されたロック受け部とを有し、
前記ロック受け部は、前記肩部材又は蓋体の前端部において前方に突出形成されると共に、上下方向に弾性変形可能に形成され、前記第１のロック部材が前記ロック受け部の弾性変位に伴ってロック受け部に係止されることを特徴とする飲料用容器の蓋ロック装置。
【請求項２】
前記第１のロック部材のＵ字状の頂部内面と、第１のロック部材の閉姿勢で、前記頂部内面に対向する前記ロック受け部の外面のうち、いずれか一方に係合突起が突出形成され、いずれか他方に前記係合突起に係合する係合溝が形成され、前記係合突起と前記係合溝とが第１のロック部材のロック姿勢で互いに係合する、請求項１に記載の飲料用容器の蓋ロック装置。
【請求項３】
前記ロック機構が、第２のロック部材を備え、前記第２のロック部材が第２の横軸を介して前記肩部材又は前記蓋体のいずれか一方に揺動可能に軸支され、前記第２のロック部材の先端背面側に係止爪が形成され、第２のロック部材の基端表面側に押ボタン操作部が設けられ、前記肩部材又は前記蓋体のいずれか他方に、前記係止爪に対応して前記係止爪を係脱可能に係止する爪受け部が形成された、請求項１又は２に記載の飲料用容器の蓋ロック装置。
【請求項４】
前記肩部材の前端部および蓋体の前端部に、第２のロック部材の周囲を囲むように保護壁が設けられ、さらに前記第１のロック部材は、前記保護壁の外周側に配置され、前記第１のロック部材のロック姿勢で前記第１のロック部材の頂部内側に対向する前記保護壁の一部に左右一対の溝を形成することにより、左右の溝で挟まれた断片を上下方向に弾性変形可能な前記ロック受け部とされた、請求項３に記載の飲料用容器の蓋ロック装置。
【請求項５】
前記保護壁は、肩部材と蓋体との接合面で分離可能で、かつ第２のロック部材の全周囲を囲むように環状に形成され、第１のロック部材を軸支する第１の横軸および、第２のロック部材を軸支する第２の横軸が、共に前記保護壁に支持された、請求項４に記載の飲料用容器の蓋ロック装置。
【請求項６】
前記第１のロック部材の基端が肩部材側の保護壁に軸支されたときは前記ロック受け部が前記保護壁の上部に形成され、前記第１のロック部材の基端が前記蓋体側の保護壁に軸支されたときは前記ロック受け部が前記保護壁の下部に形成される、請求項５に記載の飲料用容器の蓋ロック装置。
【請求項７】
前記保護壁のうち、前記押しボタン操作部の左右両側に位置する部位が凹状に形成された、請求項５又は６に記載の飲料用容器の蓋ロック装置。
【請求項８】
前記第１のロック部材のロック姿勢で、第１のロック部材の頂部と該頂部に対向する肩部材又は蓋体との間に側面視で逆三角形状の指挿入用空隙を形成するよう前記頂部の背面側が外側に向かうほど拡がる傾斜部が形成された、請求項１〜７のいずれか１項に記載の飲料用容器の蓋ロック装置。
【考案の詳細な説明】
【技術分野】
【０００１】
本考案は、容器本体の口元外周に被着される肩部材と、該肩部材の注出口を開閉する片開きの蓋体と、該蓋体を肩部材に対して閉姿勢にロックするロック機構とを備えた、飲料用容器の蓋ロック装置に関するものである。
【背景技術】
【０００２】
この種の飲料用容器において、肩部材の注出口を開閉する蓋体を閉姿勢にロックする蓋ロック装置として、その安全面から、シーソー式のロックボタンと、Ｕ字状のロック部材およびロック受け部とからなる、二重のロック構造を有するものが知られている（特許文献１，２参照）。ロックボタンは、先端に係合爪を有し蓋体の先端に係合して蓋体を閉姿勢にロックするよう揺動可能とされ、また、Ｕ字状のロック部材は、ロックボタンの外側にＵ字状に配置され基端側が肩部材に回動可能に軸支され、上方向に回動した閉姿勢で蓋体の外壁に係合してロックするよう構成されている。
【０００３】
ところで、Ｕ字状のロック部材について、基端を中心としてロック部材を回動して、その先端を蓋体の係止部を乗り越えるようにしてロック部材が係止するが、ロック部材が係止部を乗る越えるときには、ロック部材を弾性変形させて外壁を乗り越える操作が必要になってくる。また、ロックを解除する場合においても、同様にロック部材の回動操作、ロック部材の弾性変形操作が必要となる。この結果、ロック部材によるロック操作・解除操作が煩雑になってしまうおそれがある。
【０００４】
特許文献１では、ロック部材の内面側に係止部を設け、ロック部材の基端をヒンジ軸に対してその軸線方向に摺動自在に設け、ロック部材が回動して係止部と係止受け部が係止または解除される際に、ロック部材の基端がヒンジ軸の軸線に沿って外方へ弾発的に移動し、ロック部材の回動が完了して係止が保持または解除状態になったときにロック部材の基端が軸線に沿って内方へ弾発的に移動し元の位置へ戻るようにしている。
【０００５】
特許文献２では、ヒンジ軸回りに開放状態から閉止位置まで閉側回転させられた蓋体と栓本体との間に介在する、容器を密封するゴムパッキンの弾性力を積極的に利用して、ロック部材が蓋体側の外壁に係合保持される構成としている。
【先行技術文献】
【特許文献】
【０００６】
【特許文献１】特開２００７−２１７０４２号公報
【特許文献２】特開２０１０−１２０６７５号公報
【考案の概要】
【考案が解決しようとする課題】
【０００７】
ところで、特許文献１では、Ｕ字状ロック部材の基端を回動軸の軸方向に摺動可能に構成すると共にロック部材の左右内側面に係合部を形成する態様を採用しており、また、特許文献２では、蓋体と肩部材との間を密封するゴムパッキンの弾性力を積極的に利用してＵ字状のロック部材の掛かり具合を調整する態様を採用しているが、これらとは別に弾性変形を利用した簡単な構造の蓋ロック装置の出現が望まれている。
【０００８】
本考案は、上記に鑑み、弾性変形を利用した簡単な構造の蓋ロック装置の提供を目的としている。
【課題を解決するための手段】
【０００９】
上記目的を達成するために、本考案においては、飲料用容器本体の上部開口部に被着される円筒状の肩部材と、前記肩部材の後端部によりヒンジ軸を介して軸支され、前記肩部材の前記上部開口部を開閉自在に開閉する蓋体と、前記肩部材の前端部で前記蓋体を閉状態に保持するロック機構と、を有する飲料用容器の蓋ロック装置において、前記ロック機構は、基端が肩部材又は蓋体のいずれか一方にロック姿勢とロック解除姿勢との間で第１の横軸を介して回動可能に軸支された略Ｕ字形状の第１のロック部材と、前記第１のロック部材のロック姿勢で、前記第１のロック部材のＵ字形状の頂部内側で係合するよう前記肩部材又は蓋体のいずれか他方に形成されたロック受け部とを有し、前記ロック受け部は、前記肩部材又は蓋体の前端部において前方に突出形成されると共に、上下方向に弾性変形可能に形成され、前記第１のロック部材が前記ロック受け部の弾性変位に伴ってロック受け部に係止されることを特徴とする。
【考案の効果】
【００１０】
本考案によると、ロック受け部が上下方向に弾性変形可能に構成されているので、簡単な構造でありながら、第１のロック部材をロック受け部の弾性変位を伴ってロック受け部に確実に係止または係止解除することができる。
【図面の簡単な説明】
【００１１】
【図１】蓋体の閉状態を示す飲料用容器を示す斜視図である。
【図２】図１の正面図である。
【図３】図２のＡ−Ａ断面図である。
【図４】ロック部材の開姿勢を示す飲料用容器の正面図である。
【図５】図４のＢ−Ｂ断面図である。
【図６】蓋体の開放状態を示す正面図である。
【図７】図６のＣ−Ｃ断面図である。
【図８】（ａ）はロック部材の閉姿勢を示す蓋ロック装置の斜視図、（ｂ）はロック部材の開姿勢を示す蓋ロック装置の斜視図、（ｃ）は蓋体開放状態を示す蓋ロック装置の斜視図である。
【図９】ロック機構の要部拡大断面図である。
【考案を実施するための形態】
【００１２】
以下、本考案の実施形態を図面に基づいて説明する。本実施形態は、５００ｍｍリットルの液体を保存可能な携帯飲料用容器に本考案を適用した例を示す。
【００１３】
図１に示すように、本実施形態の飲料用容器１は、内筒２ａとその外側に配された外筒２ｂとの間を真空引きした断熱性のある容器本体２と、この容器本体２の上端の口元外周に被着された円筒状の肩部材３と、該肩部材３の後方にヒンジ軸４を介して枢着された蓋体５と、この蓋体５の回動端（前端）を肩部材３に対して閉姿勢にロック可能なロック機構６とを備えている。
【００１４】
容器本体２は、有底筒状に形成されており、上端に肩部材３を被着する開口が形成されている。容器本体２を構成する内筒２ａ及び外筒２ｂは、ステンレス等の金属材料により構成される周知構造のものである。
【００１５】
肩部材３は、飲み口８を有する飲み口部材９と、蓋体５を開閉自在に支持する支持部材１０とから構成される。飲み口部材９は、円筒状に形成され上下方向で中間位置が容器本体２の内筒２ａの内側に着脱自在にネジ嵌合されると共に、上端部が容器本体２の口部から上方に突出している。飲み口部材９は、ヒンジ軸４と反対側の前端部の周壁が蓋ヒンジ部側の周壁よりも高くして形成され、その高い部分が飲み口８とされている。飲み口部材９の上下方向で中間位置には底壁１１が形成されている。底壁１１は飲み口８側が低く蓋ヒンジ部側が高く形成されている。底壁１１には、蓋ヒンジ部とロック機構６とを結ぶ線上の飲み口８側に液注出口１２が形成されている。飲み口部材９の上部の側面には支持部材１０をネジ嵌合する雄ネジが形成され、飲み口部材９と支持部材１０とがネジ嵌合することにより、容器本体の上端開口壁を挟み込むようにしている。飲み口部材９は、支持部材１０に対して着脱可能とし、衛生面を考慮し、必要に応じて交換可能な態様としている。
【００１６】
支持部材１０は、容器本体２の外筒２ｂに外嵌される合成樹脂製の円筒状部材であって、内部に飲み口部材９の上部の雄ネジにネジ嵌合する雌ネジが形成される。支持部材１０は、飲み口部材９にネジ嵌合されることにより、飲み口部材９と一体化されて円筒状の肩部材３を構成する。支持部材１０の後端部には蓋体５を回動可能に支持するヒンジ軸受け部１４が突出形成される。また、支持部材１０の前端部には、蓋体５を閉姿勢にロックするロック機構６が設けられている。
【００１７】
蓋体５は、その後方部が肩部材３の後端部にヒンジ軸４を介して開閉回動可能に枢支される。蓋体５は、ヒンジ軸４に巻回された図示しないコイルばねによって、開放方向に付勢されている。蓋体５の内側には飲み口部材９の注出口１２に、内嵌合して注出口１２を閉塞する凸状のパッキン部材１５が設けられる。パッキン部材１５は、蓋体５の内側から突出して飲み口部材９の内径よりも小径の円筒部１５ａと、該円筒部１５ａの内側にネジ嵌合され、前記注出口１２よりも小径な小径部１５ｂを有する円筒状のパッキン支持材１５ｃと、該パッキン支持材に外装されるゴム製の凸状パッキン１５ｄとを備えている。そして、蓋体５の閉姿勢で、パッキン１５ｄが注出口１２を塞ぎ、容器本体２内の液が注出口１２から漏れるのを防ぐ。
【００１８】
前記ロック機構６は、肩部材３及び蓋体５の前端部に形成された環状の保護壁２５と、保護壁２５の外周側に配置された第１のロック部材１７と、保護壁２５の内側にある収容室２６に配置された、いわゆるシーソー式の第２のロック部材２０とを備えている。
【００１９】
第１のロック部材１７は、略Ｕ字形状に形成され、その基端が肩部材３の支持部材１０の前端にある保護壁２５に第１の横軸１６を介して回動自在に軸支されている。第１のロック部材１７を上方向に回動したロック姿勢で、第１のロック部材１７の略Ｕ字状の頂部内側に対応するよう蓋体５側の保護壁２５にロック受け部１８が設けられている。このロック受け部１８は、保護壁２５の一部を左右両側から切欠いて溝２８を形成し、両溝２８間に形成された断片を上下方向に弾性変形可能に構成し、この断片をロック受け部１８としている。第１のロック部材１７は断片状の前記ロック受け部１８の弾性変位に伴ってロック受け部１８に係止される。
【００２０】
さらに、第２のロック部材２０は、保護壁２５の内側の収容室２６に収容される。第２のロック部材２０は、第２の横軸２１を介して肩部材３側の保護壁２５に揺動可能に軸支されている。第２のロック部材２０の先端背面側には係止爪２２が形成され、蓋体５側の保護壁２５の内側に鉤形に切欠形成された爪受け部２３に係脱自在に係合される。第２のロック部材２０の横軸２１よりも下側で表面側には第２のロック部材２０を揺動するために押し操作する押ボタン操作部２４が設けられる。押しボタン操作部２４は第２のロック部材２０の表面側をわずかに突出させて、操作部であることを視認させるようにしている。また、第２のロック部材２０の押しボタン操作部２４の背面側と収容室２６の底部との間に第２のロック部材２０を係止爪２２が爪受け部２３に係合する係合方向（ロック方向）に付勢するコイルばね２７が介在されている。
【００２１】
保護壁２５は、肩部材３の前面に突出して形成された、左右の側壁と底壁とからなるＵ字状の壁２５ａと、その開放端に対向して蓋体５の前面に突出形成された、左右の短い側壁２５ｂとその上端に差し渡された上壁２５ｃとからなる逆Ｕ字状の壁とを備えている。そして、蓋体５の閉姿勢で、下側のＵ字状の壁と上側の逆Ｕ字状の壁のうち、対向する上下の側壁が互いに接触して環状の保護壁２５を形成している。つまり、保護壁２５は、肩部材３と蓋体５との接合面で分離可能で、かつ第２のロック部材２０の全周囲を囲むように環状に形成される。また、保護壁２５は、第１のロック部材１７を軸支する第１の横軸１６および第２のロック部材２０を軸支する第２の横軸２１を支持している。
【００２２】
さらに、図９の拡大図で示すように、第１のロック部材１７のＵ字状の頂部内面には内側に突出する係合突起３０が形成され、ロック受け部１８の上面には係合突起３０に係合する係合溝３１が形成され、係合突起３０と係合溝３１とが第１のロック部材１７のロック姿勢で互いに係合するようになっている。
【００２３】
なお、押しボタン操作部２４を押し易くするため、その周囲にある保護壁２５のうち押しボタン操作部２４の左右両側に対応する部位が凹状３２に形成され、操作する指が入りやすくしている。凹部３２は、保護壁２５のみならず、その外周側に位置する第１のロック部材１７の対応する部位について形成してもよい。
【００２４】
また、第１のロック部材１７は、保護壁２５の周囲に配置されるが、図１に示すように、肩部材３および蓋体５の対応部位を凹ませて第１のロック部材１７を収容する凹部３３が形成される。これにより、第１のロック部材１７は肩部材３から前方への突出量が低減され、第１のロック部材１７に指が引っ掛って誤って開回動されるのを防止することができる。
【００２５】
さらに、第１のロック部材１７のロック姿勢で、第１のロック部材１７の頂部１７ａと該頂部に対向する蓋体５との間に側面視で逆三角形状の指挿入用空隙３４を形成するよう、頂部１７ａの背面側を外側に向かうほど拡がる傾斜部３５が形成されている。この傾斜部３５により、第１のロック部材１７の頂部１７ａに指を引っ掛けやすくなり、指操作をしやすくなる。
【００２６】
図８（ａ）は蓋体５の閉姿勢を示す蓋ロック装置の斜視図である。この状態では、蓋体５は第１のロック部材１７および第２のロック部材２０のいずれも閉姿勢となっている。この状態から蓋体５を開放するには、第１のロック部材１７を基端の第１の横軸１６を中心として下方向に回動する。このとき、第１のロック部材１７の頂部内側に係合突起３０が形成され、蓋体５側のロック受け部１８の係合溝３１に係合しているので、第１のロック部材１７を手前に引くと、係合突起３０がロック受け部１８を下側に押さえて僅かに下方に弾性変形させる。これにより、係合突起３０が係合溝３１から外れ、第１のロック部材１７が開回動され、図８（ｂ）の状態となる。
【００２７】
図８（ｂ）は第１のロック部材１７の開姿勢を示す蓋ロック装置の斜視図である。この状態で、第２のロック部材２０の押しボタン操作部２４を奥側に押すと、第２のロック部材２０は第２の横軸２１を介して揺動し、先端の係止爪２２が蓋体側の爪受け部２３から外れる。そうすると、蓋体５は図示しないばねの付勢力によりヒンジ軸４を中心に開回動し開放され、図８（ｃ）の蓋体開放状態となる。
【００２８】
次に、蓋体５を閉回動してロックするときは、蓋体５を手で閉方向に回動し、蓋体５の天面を下方に押し付ける。このとき、第２のロック部材２０は、コイルばね２７の付勢力により、元の係止姿勢に戻っているので、蓋体５が閉方向に回動することにより、蓋体の爪受け部２３が第２のロック部材２０の係止爪２２を押して係止爪２２を乗り越えたとき両者が係止するようになる。
【００２９】
これにより、蓋体５は閉姿勢にロックされるが、さらに、ダブルロック状態にするには、第１のロック部材１７を第１の横軸１６回りに起こしてＵ字状の頂部１７ａを蓋体側のロック受け部１８に掛ける。そうすると、第１のロック部材１７がロック受け部１８をわずかであるが弾性変形させ、第１のロック部材１７の係止突起３０がロック受け部１８の係合溝３１に係合することになる。したがって、ロック受け部１８の僅かな弾性変形でも第１のロック部材１７を蓋体側のロック受け部１８に確実に係合し、ロックすることができる。
【００３０】
なお、本考案は上記実施の形態に限定されるものではなく、本考案の範囲内で多くの修正・変更を加えることができるのは勿論である。例えば、上記実施形態では、５００ｍｍリットルの飲料用容器について説明したが、これに限らず、２リットルの飲料用容器に本考案を適用してもよい。また、上記実施形態では、第１のロック部材を肩部材側に軸支させたが、第１のロック部材を蓋体側に回動自在に軸支し、ロック受け部を肩部材側に配置する構成であってもよい。また、ロック機構として、上記実施形態とは異なり、第２のロック部材を設けることなく、第１のロック部材のみを備えた態様であってもよい。この場合、第２のロック部材を収容する収容室を形成するための保護壁が存在しないことになるので、ロック受け部は第１のロック部材と対応する蓋体又は肩部材側に上下方向で弾性変形可能に突出形成することになる。
【００３１】
また、第１のロック部材と対応するロック受け部に形成する係合突起および係合溝についても、上記実施形態とは逆に、第１のロック部材のＵ字状の頂部内側に係合溝を形成し、ロック受け部側に係合突起を形成する態様であってもよい。
【００３２】
さらに、第２のロック部材は、上記実施形態では、肩部材側の保護壁に揺動自在に軸支したが、これとは逆に、第２のロック部材を蓋体側の保護壁に第２の横軸を介して揺動可能に軸支し、第２のロック部材の係止爪を肩部材側に形成した爪受け部に係止する態様であってもよい。また、保護壁に形成するロック受け部については、第１のロック部材の基端を肩部材側の保護壁に軸支した場合は、ロック受け部を蓋体側の保護壁の上部に形成し、また、第１のロック部材の基端を蓋体側の保護壁に軸支した場合は、ロック受け部を肩部材側の保護壁の下部に形成する態様であってもよい。
【００３３】
さらに、第１のロック部材の基端を蓋体側の保護壁に軸支した場合、第１のロック部材の頂部と肩部材側の前面との間に三角形状の指挿入用空隙が形成されることになる。
【００３４】
以上の実施形態で説明した通り、本考案は、飲料用容器本体の上部開口部に被着される円筒状の肩部材と、前記肩部材の後端部によりヒンジ軸を介して軸支され、前記肩部材の前記上部開口部を開閉自在に開閉する蓋体と、前記肩部材の前端部で前記蓋体を閉状態に保持するロック機構と、を有する飲料用容器の蓋ロック装置において、前記ロック機構は、基端が肩部材又は蓋体のいずれか一方にロック姿勢とロック解除姿勢との間で第１の横軸を介して回動可能に軸支された略Ｕ字形状の第１のロック部材と、前記第１のロック部材のロック姿勢で、前記第１のロック部材のＵ字形状の頂部内側で係合するよう前記肩部材又は蓋体のいずれか他方に形成されたロック受け部とを有し、前記ロック受け部は、前記肩部材又は蓋体の前端部において前方に突出形成されると共に、上下方向に弾性変形可能に形成され、前記第１のロック部材が前記ロック受け部の弾性変位に伴ってロック受け部に係止されることを特徴としている。
【００３５】
上記構成によると、ロック受け部を上下方向で弾性変形させる態様としているので、簡単な構造でありながら、第１のロック部材をロック受け部に確実に係止・解除することができる。
【００３６】
また、上記構成に加えて、前記第１のロック部材のＵ字状の頂部内面と、第１のロック部材の閉姿勢で、前記頂部内面に対向する前記ロック受け部の外面のうち、いずれか一方に係合突起が突出形成され、いずれか他方に前記係合突起に係合する係合溝が形成され、前記係合突起と前記係合溝とが第１のロック部材のロック姿勢で互いに係合する態様を採用してもよい。
【００３７】
上記構成によると、第１のロック部材とそのロック受け部のいずれか一方の係合突起と、他方の係合溝とがロック姿勢で互いに係合するので、確実にロック姿勢を維持することができる。
【００３８】
また、本考案では、前記ロック機構が、第２のロック部材を備え、前記第２のロック部材が第２の横軸を介して前記肩部材又は前記蓋体のいずれか一方に揺動可能に軸支され、前記第２のロック部材の先端背面側に係止爪が形成され、第２のロック部材の基端表面側に押ボタン操作部が設けられ、前記肩部材又は前記蓋体のいずれか他方に、前記係止爪に対応して前記係止爪を係脱可能に係止する爪受け部が形成された構成を採用することができる。
【００３９】
上記構成によると、第１のロック部材のみならず、第２のロック部材を設け、いわゆるシーソー式のロック部材により、２重のロック機構を構成し、蓋体のロックを確実に行うことができる。
【００４０】
さらに、本考案では、前記肩部材の前端部および蓋体の前端部に、第２のロック部材の周囲を囲むように保護壁が設けられ、さらに前記第１のロック部材は、前記保護壁の外周側に配置され、前記第１のロック部材のロック姿勢で前記第１のロック部材の頂部内側に対向する前記保護壁の一部に左右一対の溝を形成することにより、左右の溝で挟まれた断片を上下方向に弾性変形可能な前記ロック受け部とされた態様を採用することができる。
【００４１】
上記構成によると、第２のロック部材は保護壁により保護されるので、不用意にロック解除されるのを防止することができる。また、第２のロック部材の保護壁を利用して、第１のロック部材における弾性変形可能なロック受け部を形成しているので、新たにロック受け部を設ける必要がなく、コンパクトなロック機構を形成することができる。
【００４２】
さらに、前記保護壁は、肩部材と蓋体との接合面で分離可能で、かつ第２のロック部材の全周囲を囲むように環状に形成され、第１のロック部材を軸支する第１の横軸および、第２のロック部材を軸支する第２の横軸が、共に前記保護壁に支持された態様を採用することができる。
【００４３】
上記構成によると、保護壁は肩部材側と蓋体側で分離しつつ、環状の保護壁の内側で第２のロック部材を揺動自在に支持するので、第２のロック部材が不用意に揺動するのを防ぐことができる。
【００４４】
また、本考案では、前記保護壁のうち、前記押しボタン操作部の左右両側に位置する部位が凹状に形成された態様を採用することができる。これにより、押しボタン操作部が小さくても左右の凹部に指も入るので、押しボタン操作を簡単に行うことができる。
【００４５】
さらに、本考案では、前記第１のロック部材のロック姿勢で、第１のロック部材の頂部と該頂部に対向する肩部材又は蓋体との間に側面視で逆三角形状の指挿入用空隙を形成するよう前記頂部の背面側が外側に向かうほど拡がる傾斜部が形成された、態様を採用することができる。これにより、傾斜部と肩部材あるいは蓋体との間の空隙が拡がり、指操作がしやすくなる。
【符号の説明】
【００４６】
１    携帯飲料用容器
２    容器本体
２ａ    内筒
２ｂ    外筒
３    肩部材
４    ヒンジ軸
５    蓋体
６    ロック機構
８    飲み口
９    飲み口部材
１０    支持部材
１１    底壁
１２    液注出口
１４    ヒンジ軸受け部
１５    パッキン部材
１５ａ    円筒部
１５ｂ    小径部
１５ｃ    パッキン支持材
１５ｄ    凸状パッキン
１７    第１のロック部材
１８    ロック受け部
２０    第２のロック部材
２１    第２の横軸
２２    係止爪
２３    爪受け部
２５    保護壁
２５ａ    Ｕ字状の壁
２５ｂ    左右の側壁
２５ｃ    上壁
３０    係止突起
３３    凹部
３５    傾斜部
【図１】
0003192406.tif 000003
【図２】
0003192406.tif 000004
【図３】
0003192406.tif 000005
【図４】
0003192406.tif 000006
【図５】
0003192406.tif 000007
【図６】
0003192406.tif 000008
【図７】
0003192406.tif 000009
【図８】
0003192406.tif 000010
【図９】
0003192406.tif 000011